(57)【要約】      （修正有）【課題】表示装置に画像を左右反転して表示した場合に、良好に画像を表示可能とする。【解決手段】輝度信号と色差信号とからなる画像信号に基づいて表示を行う表示手段と、表示手段の向きを検出する検出手段と、検出手段が検出した表示手段の向きに応じて、画像信号の表示手段への出力順序を制御する制御手段とを備え、検出手段が第１の向きを検出した場合には、輝度信号と色差信号との出力順序を予め定められた順序から変更せずに表示手段へ出力し、検出手段が第２の向きを検出した場合に、出力順序を、画像信号の水平ライン毎に予め定められた順序とは逆順であって、かつ、輝度信号を時間方向に所定画素数分だけ色差信号よりも先行させた順序で表示手段へ出力する。【選択図】図１
2014007529.tif 000002
【特許請求の範囲】
【請求項１】
画像処理装置であって、
輝度信号と色差信号とからなる画像信号に基づいて表示を行う表示手段と、
前記表示手段の向きを検出する検出手段と、
前記検出手段が検出した前記表示手段の向きに応じて、前記画像信号の前記表示手段への出力順序を制御する制御手段と
を備え、
前記制御手段は、
前記検出手段が第１の向きを検出した場合には、前記輝度信号と色差信号との出力順序を予め定められた順序から変更せずに前記表示手段へ出力し、
前記検出手段が前記第１の向きとは逆向きとなる第２の向きを検出した場合に、前記出力順序を、前記画像信号の水平ライン毎に前記予め定められた順序とは逆順であって、かつ、前記輝度信号を時間方向に所定画素数分だけ前記色差信号よりも先行させた順序で前記表示手段へ出力する
ことを特徴とする画像処理装置。
【請求項２】
前記制御手段は、前記輝度信号を時間方向に前記所定画素数分だけ前記色差信号よりも先行させた結果として欠落した輝度信号を、該欠落位置に隣接して存在する輝度信号を用いて補間して前記表示手段に出力することを特徴とする請求項１に記載の画像処理装置。
【請求項３】
前記所定画素数は、前記輝度信号と前記色差信号との画素数の比率に応じて決定されることを特徴とする請求項１または２に記載の画像処理装置。
【請求項４】
前記表示手段の向きは、前記画像処理装置に対する向きであって、
前記第１の向きは、前記画像処理装置の背面の方向を向き、前記第２の向きとは、前記画像処理装置の正面の方向を向くことを特徴とする請求項１乃至３のいずれか１項に記載の画像処理装置。
【請求項５】
前記表示手段の向きは前記画像処理装置の向きと対応し、前記第２の向きは、前記画像処理装置を裏返した向きであって、
前記制御手段は、前記検出手段が前記第２の向きを検出した場合に、前記順序が変更された画像信号の水平ラインの垂直方向の出力順序を更に逆順とすることを特徴とする請求項１乃至３のいずれか１項に記載の画像処理装置。
【請求項６】
前記画像信号は前記輝度信号と複数の種類の前記色差信号とを含み、前記画像信号における前記輝度信号の画素数は、複数の種類の前記色差信号それぞれの画素数よりも多いことを特徴とする請求項１乃至５のいずれか１項に記載の画像処理装置。
【請求項７】
前記画像信号は、所定の位置の輝度信号と前記所定の位置の輝度信号に対応した色差信号との重心が合っている形式であることを特徴とする請求項１乃至６のいずれか１項に記載の画像処理装置。
【請求項８】
画像処理装置の制御方法であって、該画像処理装置は、
輝度信号と色差信号とからなる画像信号に基づいて表示を行う表示手段と、
前記表示手段の向きを検出する検出手段と、
前記検出手段が検出した前記表示手段の向きに応じて、前記画像信号の前記表示手段への出力順序を制御する制御手段と
を備え、
前記方法は、前記制御手段が、
前記検出手段が第１の向きを検出した場合には、前記輝度信号と色差信号との出力順序を予め定められた順序から変更せずに前記表示手段へ出力する工程と、
前記検出手段が前記第１の向きとは逆向きとなる第２の向きを検出した場合に、前記出力順序を、前記画像信号の水平ライン毎に前記予め定められた順序とは逆順であって、かつ、前記輝度信号を時間方向に所定画素数分だけ前記色差信号よりも先行させた順序で前記表示手段へ出力する工程と
を備えることを特徴とする画像処理装置の制御方法。
【請求項９】
輝度信号と色差信号とからなる画像信号に基づいて表示を行う表示手段と、
前記表示手段の向きを検出する検出手段と、
前記検出手段が検出した前記表示手段の向きに応じて、前記画像信号の前記表示手段への出力順序を制御する制御手段と
を備える画像処理装置の前記制御手段を、請求項１乃至７のいずれか１項に記載の制御手段として機能させることを特徴とするプログラム。
【発明の詳細な説明】
【技術分野】
【０００１】
本発明は画像処理装置及びその制御方法、コンピュータプログラムに関する。
【背景技術】
【０００２】
画像信号を液晶パネルを備えた表示装置に出力する信号処理装置が知られている。表示装置に出力される画像信号は、輝度信号（Ｙ）と色差信号（Ｃｂ、Ｃｒ）とから構成される。表示装置では、受け取った輝度信号と色差信号をＲＧＢの三つの色成分信号に変換して表示する（特許文献１参照）。近年では、輝度信号と色差信号の画素数の比率が４：２：２の画像信号を受け取って表示可能な表示装置も知られている。この様な表示装置を備える機器として、例えば、ビデオカメラやデジタルカメラが知られている。
【先行技術文献】
【特許文献】
【０００３】
【特許文献１】特開２００８−２８１９９８号公報
【発明の概要】
【発明が解決しようとする課題】
【０００４】
ビデオカメラなどでは、液晶パネルを回転させて表示する機能を持つ。表示装置を水平方向に回転させた場合、表示する画像を左右反転して表示する必要がある。この時、表示装置に出力する画像信号の順序も左右反転させる必要がある。
【０００５】
しかし、輝度信号と色差信号の出力の順序を単純に反転して出力した場合、輝度と色差の重心がずれた状態となり、これをＲＧＢの信号に変換した際、色がにじんでしまう。
【０００６】
そこで本発明は、表示装置に画像を左右反転して表示した場合に、良好に画像を表示可能とすることを目的とする。
【課題を解決するための手段】
【０００７】
上記課題を解決するための発明は画像処理装置であって、
輝度信号と色差信号とからなる画像信号に基づいて表示を行う表示手段と、
前記表示手段の向きを検出する検出手段と、
前記検出手段が検出した前記表示手段の向きに応じて、前記画像信号の前記表示手段への出力順序を制御する制御手段と
を備え、
前記制御手段は、
前記検出手段が第１の向きを検出した場合には、前記輝度信号と色差信号との出力順序を予め定められた順序から変更せずに前記表示手段へ出力し、
前記検出手段が前記第１の向きとは逆向きとなる第２の向きを検出した場合に、前記出力順序を、前記画像信号の水平ライン毎に前記予め定められた順序とは逆順であって、かつ、前記輝度信号を時間方向に所定画素数分だけ前記色差信号よりも先行させた順序で前記表示手段へ出力することを特徴とする。
【発明の効果】
【０００８】
表示装置に画像を左右反転して表示した場合に、良好に画像を表示可能となる。
【図面の簡単な説明】
【０００９】
【図１】発明の実施形態１に対応する画像処理装置の構成例を示すブロック図。
【図２】発明の実施形態１に対応するカメラ１００の外観の一例を示す図。
【図３】発明の実施形態に対応する４：２：２方式の色差変換を説明するための図。
【図４】発明の実施形態に対応する４：１：１方式の色差変換を説明するための図。
【図５】発明の実施形態１に対応する色差変換処理のフローチャート。
【図６】発明の実施形態２に対応する画像処理装置の構成例を示すブロック図。
【図７】発明の実施形態２に対応するプロジェクタ６００の外観の一例を示す図。
【図８】発明の実施形態２に対応する色差変換処理のフローチャート。
【発明を実施するための形態】
【００１０】
［実施形態１］
図１（ａ）は、本発明の画像処理装置としてのカメラ１００の構成を示すブロック図である。なお、カメラ１００は、所定の記録フォーマットに従い動画信号を記録する。また、記録媒体に記録された動画信号やその他の情報は、ＦＡＴ(File Allocation Table)ファイルシステムに従い、ファイルとして管理される。図１（ａ）のカメラ１００において、撮像素子、レンズ、表示素子のような物理的デバイスを除き、各ブロックは専用ロジック回路やメモリを用いてハードウェア的に構成されてもよい。或いは、メモリに記憶されている処理プログラムをＣＰＵ等のコンピュータが実行することにより、ソフトウェア的に構成されてもよい。
【００１１】
図１（ａ）において、撮像部１０１は被写体を撮影し、被写体を示す動画データを生成して出力する。撮像部１０１は、ズームレンズやフォーカスレンズ等の光学系、ＣＣＤ等のイメージセンサ、アイリス、撮影した動画データをデジタルデータに変換するＡＤ変換器などを有する。撮像部１０１から出力された動画データはメモリ１０２に記憶される。  
【００１２】
メモリ１０２は、動画データや表示用の画像信号、圧縮された動画データやその他の情報を記憶する。表示制御部１０３は、制御部１０６からの指示に従い、動画像や各種の情報を表示部１０４に表示する。表示部１０４は液晶パネル等、公知の表示装置を含む。表示制御部１０３と表示部１０４については後述する。
【００１３】
信号処理部１０５は、記録時においては、撮影された動画データを符号化してその情報量を圧縮し、メモリ１０２に記憶する。また、再生時においては、再生された動画データを復号し、情報量を伸張する。制御部１０６はマイコンやその他必要なメモリを有し、不図示の不揮発メモリに記憶されたプログラムに従い、操作部１０７からのユーザ指示に応じてカメラ１００の各部の動作を制御する。操作部１０７は、ユーザにより操作可能な電源スイッチ、動画像の撮影開始、停止を指示するトリガスイッチ、再生スイッチ、メニュースイッチ等の各種のスイッチを備える。制御部１０６は、操作部１０７からのユーザの指示を受け付ける。また、ユーザはメニュースイッチを操作して表示部１０４にメニュー画面を表示し、このメニュー画面を利用してカメラ１００の動作モードや、動画記録時の圧縮モードなどを変更し、また、設定を変更する。
【００１４】
記録再生部１０８は、制御部１０６からの指示に従い、圧縮された動画データなど各種の情報を記録媒体１０９に記録し、記録媒体１０９から再生する。記録媒体１０９はメモリカードやハードディスク（ＨＤＤ）等のランダムアクセス可能な記録媒体である。本実施形態では、記録媒体１０９はフラッシュメモリを内蔵した交換可能なメモリカードを想定している。また、記録媒体１０９は、不図示の装着、排出機構により、カメラ１００に対してユーザが容易に装着、排出可能な構成である。内部バス１１０は、カメラ１００の各部の間で、各種のデータやコマンドを転送するために用いられる。
【００１５】
次に、撮影時の処理について説明する。操作部１０７によりカメラ１００の電源が投入されると、制御部１０６はカメラ１００の各部を制御して、撮像部１０１により得られた動画データをメモリ１０２に記憶する。そして、メモリ１０２に記憶された動画データに応じた被写体の動画像を表示部１０４に表示し、記録待機状態となる。
【００１６】
この状態で、制御部１０６は、操作部１０７により記録開始の指示があるか否かを判別する。記録開始の指示があると、制御部１０６は各部を制御し、動画の符号化を開始すると共に、記録媒体１０９に対する動画の記録を開始する。撮像部１０１は、制御部１０６からの指示により、撮影した動画データを順次出力し、バス１１０を介して順次メモリ１０２に記憶する。
【００１７】
信号処理部１０５は、メモリ１０２に記憶された動画データを圧縮して、再度メモリ１０２に記憶する。このとき、制御部１０６は、所定の圧縮モード（記録モード）に応じて動画データを符号化、圧縮するように信号処理部１０５を制御する。制御部１０６は、記録再生部１０８に対し、メモリ１０２から動画データを読み出し、記録媒体１０９に記録するように指示する。記録再生部１０８は、圧縮された動画データと音声データに対し、必要なデータを付加してデータストリームを生成する。そして、所定のファイルシステムに従って、このデータストリームを含む動画ファイルを生成し、記録媒体１０９に記録する。
【００１８】
そして、記録開始後、操作部１０７により記録停止の指示があると、制御部１０６は記録再生部１０８に対して、動画の記録停止を指示する。記録再生部１０８は、制御部１０６からの記録停止の指示に従い、記録媒体１０９に対する動画の記録を停止する。そして、制御部１０６は、カメラ１００を再び記録待機状態とする。本実施形態では、記録開始の指示から記録停止の指示までの間に記録された一連の動画を一つのファイルとして管理する。
【００１９】
次に、再生処理について説明する。操作部１０７により再生モードの指示があると、制御部１０６は、記録媒体１０９に記録された動画ファイルのうち、指定された動画ファイルを再生するように、記録再生部１０８を制御する。記録再生部１０８は、指定された動画ファイルを記録媒体１０９から再生し、動画ファイルに格納された動画データをメモリ１０２に記憶する。信号処理部１０５はメモリ１０２から動画データを読み出して復号し、再度メモリ１０２に記憶する。表示制御部１０３はメモリ１０２から復号された動画データを読み出し、再生された動画像を表示部１０４に表示する。そして、再生停止の指示があると、制御部１０６は動画ファイルの再生を停止するように記録再生部１０８に指示する。
【００２０】
次に、本実施形態における表示制御部１０３と表示部１０４について説明する。図１（ｂ）は表示制御部１０３と表示部１０４の構成を示す図である。本実施形態では、撮像部１０１は１画面が横１９２０画素×縦１０８０画素の動画データを出力する。また、撮像部１０１が出力する動画データは、輝度信号Ｙと複数の色差信号Ｃｒ，Ｃｂの画素数の比が４：２：２である。記録再生部１０８は、この横１９２０画素×縦１０８０画素の動画データを記録する。また、液晶パネル１１８の画素数は、縦８５４画素（ドット）×横４８０画素（ドット）である。
【００２１】
図１（ｂ）における画面サイズ変換部１１１には、撮影時においては、撮像部１０１により取得された動画データが入力される。また、再生時においては、信号処理部１０５により復号された動画データが入力される。記録時、再生時の何れにおいても、画面サイズ変換部１１１には１９２０画素×１０８０画素の、輝度信号Ｙと複数の色差信号Ｃｒ，Ｃｂからなる動画データが入力される。画面サイズ変換部１１１は、入力された動画データの各フレームの輝度信号の画素数を液晶パネルの表示画素数である８５４画素×４８０画素に変換する。また、これに伴い、色差信号Ｃｒ，Ｃｂの画素数をそれぞれ輝度信号Ｙの半分の画素数に変換する。画素数が変換された動画データが多重処理部１１２に出力される。多重処理部１１２は、画面サイズ変換部１１１からの動画データに対し、各種のＯＳＤデータなどの情報を多重してメモリ１１３に出力する。メモリ１１３に記憶された動画データは、色差処理部１１４に出力される。色差処理部１１４は、後述の様に、表示部１０４の向きに応じて輝度信号及び色差信号の出力タイミングを変更して出力する。送信部１１５は、色差処理部１１４からの輝度信号と色差信号をＬＶＤＳの形式で表示部１０４に出力する。
【００２２】
表示部１０４において、受信部１１６は、表示制御部１０３からの輝度信号と色差信号を受け取り、変換処理部１１７に送る。変換処理部１１７は、輝度信号と色差信号をＲＧＢの信号に変換し、液晶パネル１１８に送る。液晶パネル１１８は、ＲＧＢ信号に応じて画像を表示する。また、方向検知部１１９は、表示部１０４の向きを検出し、制御部１０６に出力する。向きの検出方法としては、表示部１０４にスイッチやセンサを設けておき、当該スイッチまたはセンサからの出力に応じて表示部１０４の向きを検出することができる。当該検出方法自体は公知の方法を用いることができるので、より詳細な説明は本明細書では省略する。
【００２３】
次に、色差処理部１１４による補正処理について説明する。図２はカメラ１００の外観を示す図である。図２において、２０１はレンズ、２０２はシャッターボタンである。本実施形態では、レンズ２０１が配置されている側をカメラ１００の正面といい、正面に相対する面を背面という。図２では、被写体２００Ａと２００Ｂとを撮影している様子を示している。図２（ａ）の場合、表示部１０４はカメラ１００の本体背面に組込まれる形で位置している。この場合、カメラ１００のユーザはカメラ１００の背面側から被写体方向を向いていることとなり、表示部１０４をビューファインダーとして利用して撮影を行うことができる。この状態での表示部１０４が向く方向を第１の方向と呼ぶことにする。即ち第１の方向とは、カメラ１００との関係において、カメラ１００の正面から背面に向かう方向と定義できる。
【００２４】
表示部１０４は回動可能にカメラ１００の本体に取り付けられており、図２（ａ）に示すような装置の背面から見て左側方向に水平に回動させることができる。図２（ｂ）の場合、表示部１０４はカメラ１００の本体背面から離れてレンズ２０１が向く方向と同一方向を向くように位置することになる。この場合、カメラ１００のユーザはカメラ１００の正面側からカメラ１００のレンズ２０１をのぞき込む形となり、表示部１０４をビューファインダーとして利用して同様に撮影を行うことができる。この状態での表示部１０４が向く方向を第２の方向と呼ぶことにする。即ち第２の方向とは、第１の方向とは逆向きの方向であって、カメラ１００との関係において、カメラ１００の背面から正面に向かう方向と定義できる。
【００２５】
このようにして表示部１０４を回動させ、図２（ｂ）の状態とした場合、表示部１０４を見るユーザの視点位置と表示部１０４が表示する画像における被写体の配置との整合を取る必要がある。具体的には、図２（ｂ）の状況では、図２（ａ）での表示画像１０４Ａとは左右逆の画像１０４Ｂを表示する必要がある。そのため、表示部１０４に対し、左右逆に表示されるように輝度信号と色差信号を出力する。
【００２６】
図３に表示部１０４に出力される輝度信号と色差信号とからなる画像信号の構成例を示す。例えば、ＳＭＰＴＥ１２５ではＣｂ０、Ｃｒ０はＹ０と、Ｃｂ２、Ｃｒ２はＹ２と重心が合うフォーマットになっており、本実施形態では、上記フォーマットと同様の信号形式を想定する。４：２：２方式の場合、輝度信号と各色差信号の標本化周波数の比率が４：２：２となっている。即ち、４：２：２方式では、輝度信号に対し、各色差信号は１／２の画素数（サンプル数）である。データ配列３０１は表示部１０４に動画データを出力する際のデータの並び順を示しており、ＳＭＰＴＥ１２５のフォーマットに従った順序で読み出した結果を示す。３０１ａは輝度信号と色差信号の画素位置の対応を示している。このデータを３０２ａに示すように単純に左右反転すると、水平方向は輝度信号Ｙ１に、色差信号Ｃｂ０、Ｃｒ０が対応づけられてしまうので、輝度信号と色差信号との重心がずれる。そのため、表示部１０４の変換処理部１１７が輝度信号と色差信号をＲＧＢ信号に変換して液晶パネル１１８に表示した際、色にじみとして認識されてしまう。
【００２７】
そこで、本実施形態では、方向検知部１１９からの表示部１０４の向きの検出結果に基づいて、表示部１０４に出力する輝度信号の位置（タイミング）を変更する。即ち、方向検知部１１９により表示部１０４の向きが図２（ｂ）の位置になったことが検出された場合、制御部１０６は表示制御部１０３を制御し、メモリ１１３に記憶された動画データを左右反転して読み出すように指示する。これにより、輝度信号及び色差信号が水平ライン毎に読出し順序が逆転されて読み出される。本実施形態では画像の左右反転を行うだけなので、垂直方向での読出し順序の変更はない。そして、色差処理部１１４に対し、３０３ａに示すように、輝度信号を１画素分だけ、時間方向に進むようにシフトして出力するように指示する。この処理により、読出しの対象となる輝度信号が色差信号に対して１画素分だけ先行することとなり、結果として輝度信号Ｙ０に対応する色差信号Ｃｂ０、Ｃｒ０のように、色差の重心が保たれる。ここで、輝度信号が色差信号に対して１画素分だけ先行した結果、先行した分だけ画面右端で輝度信号が欠落することとなる。これに対しては、欠落位置に隣接して存在する輝度信号、即ちＹ０で補間する。即ち、欠落画素として、隣接する輝度信号を出力することにより補間する。
【００２８】
なお、上述の例では、４：２：２方式の色差入力に対応した表示部１０４に発明を適用した場合を説明した。これに対し、輝度信号と色差信号との比率は４：２：２に限定されるものではなく、４：１：１方式の色差入力のモニターに対しても本発明を適用することができる。
【００２９】
図４は、４：１：１方式の信号の並び順を示し、輝度信号に対し、色差信号は１／４のデータ量である。この場合に、データ配列４０１を４０２に示すように単純に左右反転すると、輝度信号Ｙ３に、色差信号Ｃｂ０、Ｃｒ０が対応することになるので、輝度と色差の重心がずれてしまう。よって、これを表示部１０４内の変換処理部１１７でＲＧＢ変換処理を施し、液晶パネル１１８に表示した際、色にじみとして認識されてしまう。
【００３０】
そこで、方向検知部１１９からの表示部１０４の向きの検出結果に基づいて、表示部１０４に出力する輝度信号の位置（タイミング）を４：２：２方式の場合と同様に変更する。ただし、４：１：１方式の場合には、輝度信号のシフト量が４：２：２方式とは異なる。４：２：２方式では、輝度信号と色差信号のデータ量の比率が２：１であったのに対し、４：１：１方式では比率が４：１しかない。そこで輝度信号と色差信号とを水平ライン毎にそれぞれ読出し順を逆転させると共に、輝度信号が３画素分だけ色差信号に先行するようにシフトする。この処理により、輝度信号Ｙ０に対応する色差信号Ｃｂ０、Ｃｒ０のように、色差の重心が保たれる。なお、輝度信号のシフトにともなう画面端部の画素欠落については、隣接する輝度データＹ０で補間する。
【００３１】
このように、輝度信号のシフト量及び補間画素数は、輝度信号と色差信号とのデータ量の比率に応じて、所定画素数分として決定することができる。制御部１０６は、表示部１０４が入力する輝度と色差の画素配列の情報、即ち、４：２：２、或いは、４：１：１などの情報を内部の不揮発メモリに記憶する。そして、この画素配列の情報により表示部１０４への画像信号の出力を制御する。
【００３２】
以下、左右反転処理のフローを図５のフローチャートを用いて説明する。当該処理は、対応する処理プログラムを実行することにより色差処理部１１４において実行される。
【００３３】
色差処理部１１４は、Ｓ５０１において表示部１０４の向きを方向検知部１１９からの検知結果を表す信号に基づいて判定する。表示部１０４が第１の向きを有する場合、Ｓ５０２の通常読み出しでメモリ１１３から、順次読み出しを行う。一方、Ｓ５０１で第２の向きと判定された場合、色差処理部１１４は、Ｓ５０３において左右反転読み出しでメモリ１１３から、データの反転読み出しを行う。またＳ５０４のＹシフトと補間処理で、Ｙ信号を所定画素分だけシフトすると同時に、欠損する画面右端の所定画素分のデータを、隣接する輝度データＹ０で補間する。
【００３４】
このように、映像の走査方向を左右で入れ替える際に、輝度信号を、輝度信号と色差信号とのデータ量の比率に応じた所定画素分だけシフトして色差信号よりも先行させることで、色差信号と重心を合わせることが可能となる。これによりパネル表示時の色にじみを効率的に防ぐことができる。
【００３５】
［実施形態２］
上述の実施形態１では本発明の画像処理装置を、撮像部１０１を有するカメラ１００として説明した。しかし、本発明は、カメラに限定されることはなく色差入力に対応した映像表示装置にも適用可能である。そこで、以下では、装置本体を上下逆さで天井から吊り下げて使用可能なプロジェクタを例に、本実施形態に対応する画像処理装置について説明する。
【００３６】
図６（ａ）は、本実施形態に対応する画像処理装置としてのプロジェクタ６００の構成を示す図である。図６（ａ）のプロジェクタ６００において、投影素子やレンズのような物理的デバイスを除き、各ブロックは専用ロジック回路やメモリを用いてハードウェア的に構成されてもよい。或いは、メモリに記憶されている処理プログラムをＣＰＵ等のコンピュータが実行することにより、ソフトウェア的に構成されてもよい。
【００３７】
通信部６０１は、外部装置から画像信号の入力を受け付ける通信インタフェースである。例えば、通信部６０１は、例えばＨＤＭＩ、ＵＳＢ、ＩＥＥＥ１３９４等の通信プロトコルに対応する。メモリ６０２は、動画データや表示用の画像信号、圧縮された動画データやその他の情報を記憶する。投影制御部６０３は、制御部６０６からの指示に従い、動画像や各種の情報を投影部６０４に出力する。投影部６０４はズームレンズやフォーカスレンズ等の光学系、液晶パネル、ＤＭＤ（デジタル・ミラー・デバイス）等の公知の投影装置を含む。
【００３８】
なお、本実施形態では「装置から離れた位置にあるスクリーンに対して映像を投影する」というプロジェクタの性質に鑑みて「投影」という語を用いているが、視認可能な画像を観察者に対して提供するという点で「投影」と「表示」とは同じ概念を有する。本実施形態では説明のために「投影部」、「投影制御部」との文言を使用しているが、これらは基本的には「表示部」、「表示制御部」とみなすことができる。
【００３９】
信号処理部６０５は、外部装置から受信した動画データを復号し、情報量を伸張する。制御部６０６はマイコンやその他必要なメモリを有し、不図示の不揮発メモリに記憶されたプログラムに従いプロジェクタ６００の各部の動作を制御する。操作部６０７は、ユーザにより操作可能な電源スイッチ、メニュースイッチ、入力切替スイッチ等の各種のスイッチを備える。制御部６０６は、操作部６０７からのユーザの指示を受け付ける。また、ユーザはメニュースイッチを操作して投影部６０４からメニュー画面を投影して、このメニュー画面を利用してプロジェクタ６００の動作モード等を変更したり、設定を変更したりできる。
【００４０】
再生部６０８は、制御部６０６からの指示に従い、圧縮された動画データなど各種の情報を記録媒体６０９から再生する。記録媒体６０９はメモリカード等のランダムアクセス可能な記録媒体である。本実施形態では、記録媒体６０９はフラッシュメモリを内蔵した交換可能なメモリカードを想定している。また、記録媒体６０９は、不図示の装着、排出機構により、プロジェクタ６００に対してユーザが容易に装着、排出可能な構成である。内部バス６１０は、プロジェクタ６００の各部の間で、各種のデータやコマンドを転送するために用いられる。
【００４１】
次に、プロジェクタ６００による再生処理について説明する。外部装置から通信部６０１を介して提供される動画データを再生する場合、受信した動画データをメモリ６０２に記憶する。信号処理部６０５はメモリ６０２から動画データを読み出して復号し、再度メモリ６０２に記憶する。投影制御部６０３はメモリ６０２から復号された動画データを読み出し、投影部６０４に供給する。
【００４２】
次に、本実施形態における投影制御部６０３と投影部６０４について説明する。図６（ｂ）は投影制御部６０３と投影部６０４の構成を示す図である。本実施形態では、外部装置が１画面が横１９２０画素×縦１０８０画素の動画データを出力する。また、外部装置から出力される動画データは、輝度信号Ｙと二種類の色差信号Ｃｒ，Ｃｂの画素数の比が４：２：２である。信号処理部６０５は、この横１９２０画素×縦１０８０画素の動画データを復号する。また、投影部６０４における液晶パネル６１８の画素数も、横１９２０画素×縦１０８０画素である。
【００４３】
図６（ｂ）における画面サイズ変換部６１１には、信号処理部６０５により復号された動画データが入力される。画面サイズ変換部６１１には輝度信号Ｙと色差信号Ｃｒ，Ｃｂからなる動画データが入力される。画面サイズ変換部６１１は、入力された動画データの各フレームの輝度信号の画素数と、液晶パネルの表示画素数が一致しない場合、画素数を変換して一致させる。画素数が変換された動画データは多重処理部６１２に出力される。多重処理部６１２は、画面サイズ変換部６１１からの動画データに対し、各種のＯＳＤデータなどの情報を多重してメモリ６１３に出力する。メモリ６１３に記憶された動画データは、色差処理部６１４に出力される。色差処理部６１４は、後述の様に、投影部６０４（プロジェクタ６００）の向きに応じて輝度信号の出力タイミングを補正して出力する。送信部６１５は、色差処理部６１４からの輝度信号と色差信号をＬＶＤＳの形式で投影部６０４に出力する。
【００４４】
投影部６０４において、受信部６１６は、投影制御部６０３からの輝度信号と色差信号を受け取り、変換処理部６１７に送る。変換処理部６１７は、輝度信号と色差信号をＲＧＢの信号に変換し、液晶パネル６１８に送る。液晶パネル６１８は、ＲＧＢ信号に応じてバックライトからの入射光を制御して画像をスクリーンなどに投影する。また、方向検知部６１９は、投影部６０４の向き、即ちプロジェクタ６００の向きを検出し、制御部６０６に出力する。向きの検出方法としては、例えばジャイロセンサを使うことができる。当該検出方法自体は公知の方法を用いることができるので、より詳細な説明は本明細書では省略する。なお、方向検知部６１９の配置位置は、投影部６０４内に限られるものではなく、プロジェクタ６００内のいずれかの場所であればよい。
【００４５】
次に、色差処理部６１４による補正処理について説明する。図７はプロジェクタ６００の外観を示す図である。図７では、被写体が移った映像を透過型スクリーンに投影している様子を示している。図７（ａ）はプロジェクタ６００を床置きした状態を示している。投影部６０４の液晶パネル６１８の位置（向き）は、プロジェクタ６００本体に対して変化することがないから、投影部６０４の向きは、そのままプロジェクタ６００本体の向きに対応する。図７（ａ）の場合、プロジェクタ６００は床置きされているので、液晶パネル６１８の向きも天地に対して非反転の状態にある。この状態での投影部６０４が向く方向を第１の方向と呼ぶことにする。これに対して図７（ｂ）は天井から吊り下げた状態を示している。この場合、プロジェクタ６００は裏返された状態となり、液晶パネル６１８の向きは、天地に対して上下反転した状態にある。この状態での投影部６０４が向く方向を第２の方向と呼ぶことにする。
【００４６】
プロジェクタ６００は、投影レンズ７０１を有し、透過型スクリーン７０２に対して画像の投影を行う。床置きの場合、映像７０３がスクリーン７０２へ投影され、天井から吊り下げた状態では映像７０３ｂのように、上下左右が反転される。表示位置を映像７０３ａのように表示するためには、上下左右逆に表示する必要があり、画像信号は上下左右逆に転送する。画像信号を上下左右に反転するに当たり、左右反転は図３で説明した通りである。上下反転については、画像信号の水平ラインの垂直方向における出力順序が逆順となる。なお、垂直方向のラインの出力順序の変更によっては、輝度信号と色差信号との重心のずれは生じないため、画素シフトや補間処理は不要である。
【００４７】
次に、図８のフローチャートを参照して本実施形態における色差処理部６１４における処理を説明する。当該処理は、対応する処理プログラムを実行することにより色差処理部６１４において実行される。
【００４８】
色差処理部６１４は、Ｓ８０１において投影部６０４の向きを方向検知部６１９からの検知結果を表す信号に基づいて判定する。なお、当該投影部６０４の向きはプロジェクタ６００の向きでもある。投影部６０４が第１の向きを有する場合、Ｓ８０２の通常読み出しでメモリ１１３から、順次読み出しを行う。一方、Ｓ８０１で第２の向きと判定された場合、色差処理部６１４は、Ｓ８０３において上下左右反転読み出しでメモリ６１３から、データの読み出しを行う。またＳ８０４のＹシフトと補間処理で、Ｙ信号を所定画素分だけシフトすると同時に、欠損する画面右端の所定画素分のデータを、隣接する輝度データＹ０で補間する。
【００４９】
このように、映像の走査方向を上下左右で入れ替える際に、輝度信号を、輝度信号と色差信号とのデータ量の比率に応じた所定画素分だけ水平方向でシフトして色差信号よりも先行させることで、色差信号と重心を合わせることが可能となる。これにより画像投影時の色にじみを効率的に防ぐことができる。
【００５０】
なお、上記では透過型スクリーン７０２を用いた場合の上下左右反転の例を説明した。これ以外にも、プロジェクタ６００は床置きの設置状態であって、使用するスクリーンを透過型と非透過型で変更した場合、非透過型の場合に対して透過型の場合は左右反転された画像が投影されることとなるので実施形態１と同様の処理を行うことになる。この場合は、上下反転は不要となる。
【００５１】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014007529.tif 000003
【図２】
2014007529.tif 000004
【図３】
2014007529.tif 000005
【図４】
2014007529.tif 000006
【図５】
2014007529.tif 000007
【図６】
2014007529.tif 000008
【図７】
2014007529.tif 000009
【図８】
2014007529.tif 000010